(57)【特許請求の範囲】
【請求項１】
棟部の屋根下地から立ち上げられた芯になる立板（２）を金具で屋根下地（１１）に固定した後、熨斗を積み上げる平瓦（８）に敷板（６）を載置して仮固定し、該平瓦（８）と該敷板（６）の空間（２２）にウレタンフォーム（１９）を充填してプラスチック面戸（７）を該敷板（６）に釘止めし、１段目熨斗の台になる台板（５）を該敷板（６）と芯になる立板（２）に釘止めし、該台板（５）に熨斗を載せ、糸で通りをあわせビス止めして棟を構築する方法であって、該敷板（６）は、該台板（５）の前端から奥部にあって芯になる立板（２）から離反する幅の板状部材であることを特徴とする棟工法。
【発明の詳細な説明】
【技術分野】
【０００１】
本発明は棟工事（棟工法）に関するものであり、熨斗瓦を積む従来の手法（粘土を使用して構築、又は一部粘土と、特殊な部材を使う乾式工法）を、粘土を全く使わず、手軽に入手できる木材製品を用いた乾式工法で普通の熨斗瓦を使い軽量かつ、仕上がりを美しく、工期短縮、高耐久性を実現したものである。
【背景技術】
【０００２】
古来、ごく一部の地域で、形状と部品の材質は違うが木材使用の乾式工法は行われていた（図３）
【０００３】
古来の乾式棟は面戸が木製で、１枚板を切り抜くので、加工が容易でない。図４の木製面戸（３５）の部分がそれである。
【０００４】
図４の木製面戸部分（３５）は熨斗瓦の通りを揃える為、熨斗瓦外面から僅かに内側に入っているだけなので、紫外線、雨風に晒され易く痛みやすい。塗装もすぐに剥れ、見た目も悪く腐食に対する不安感がぬぐいきれない。
【０００５】
木製面戸部分（３５）の板に勾配はなく、熨斗を板の角に乗せて釘止め又は銅線で緊結しているだけなので台風、地震による揺れで熨斗瓦の通りがずれやすい。
【０００６】
葺き替え工事、棟直し工事等リフォーム時は下地（棟木）に歪みが生じているので、図４の面戸（３５）の直線ラインの通り（２０の点線）がきれいに直線にならない。したがって歪んだラインに１枚ずつ高さを合わせて木製面戸の形を切り抜く作業は、手間もかかり、かなり困難である。
【０００７】
しかし、この古来の木製面戸を用いる工法でも、築４０〜４７年と抜群の耐久実績（現在も数棟実在）があり、若干熨斗のずれや、部分的に面戸が腐食している程度で、数千件の棟倒壊被害を出した、平成１２年の鳥取西部地震の震度６の揺れを、崩れることなく持ちこたえて現在に至る棟工法である。
【０００８】
【特許文献１】特開２００４−６８５８５号公報
【発明の開示】
【発明が解決しようとする課題】
【０００９】
前記特許文献１の乾式棟工法は種々の利点があるが、いずれも下部は粘土を使用し、専用のプラスチック部材、金具、熨斗瓦を使用するので、特殊すぎて普及率が低く、相当量の在庫を持たなければならない。また熨斗自体に勾配がつかないので段数を多く積まないといけない。其の為、たとえば１０ｍ程度の６寸鬼瓦に対して同じ高さを積むのにも熨斗枚数が数十枚単位で多くいる。これらの理由により、材料費が割高になる。また開発メーカーと契約がない販売店や施工業者は、ほとんどその工法を見ることすらない。棟直しの場合は、専用熨斗瓦を使用する乾式工法では、まだ十分使用できる既存の熨斗瓦を使用して工事を行うことができない為処分費が余計にかかる。確かに人件費は抑えられるし、地震に強いが、工事単価は下がらない。
【００１０】
図３の様な古来の乾式工法では軽量なのは良いが、熨斗の通りをそろえるのにかなりの時間を費やすうえに、仕上がりが悪い。それと面戸の腐食に対する不安感、面戸の表面は塗装の為、十数年後には塗り替えが必要、などデメリットの要素が強く一般的にはほとんど普及しなかった。
【００１１】
本発明は完全乾式の為最も軽量で、棟直し等でも既存の熨斗瓦を使用できるメリットを生かし、仕上がりの悪さ、雨、紫外線による腐食、劣化、面戸の塗装剥離、に対する不安を解決することを課題とする。
【課題を解決するための手段】
【００１２】
課題を解決するための発明は、図２の棟の芯となる芯になる立板（２）を立てて金具（１６）を釘で固定し、その側面に寸法を決めて台板の下部に敷く敷板（６）を仮置きし銅線等で仮固定する。プラスチック面戸（７）を平瓦（８）と敷板（６）の空間（２２）にウレタンフォームを充填し、差し込んで上から釘止めする。その上に寸法を加減して台板（５）を敷板（６）に釘で固定してから、台板（５）を立て芯になる立板（２）に釘で固定する。その際、敷板（６）とその下の平瓦（８）に隙間が生じる場所は図５に示すくさび（２１）を咬ませて釘かウレタンフォームで固定する。この作業によって縦、横の通り、熨斗傾斜角度が決まる。プラスチック面戸が熨斗外面から奥行を取れるので雨、紫外線を遮る事ができ、劣化防止となり、敷板（６）の腐食防止にもなり、より長持ちする。
【発明の効果】
【００１３】
本発明は、軽量はもとより、熨斗瓦の縦、横の通り、角度を簡単にそろえることができる為、大幅に職人工数を削減できるので、工事金額も安くなる。
【００１４】
粘土をまったく使用しないので、天候が優れない日でも、施工可能である、工事日程のロスを抑えることができる。
【００１５】
外部に露出している面戸部分に奥行きを持たすことができるので雨、風、紫外線にあたりにくく、劣化の防止になる。
【００１６】
冠瓦（１２）はパッキン付ビス（１０）で、冠瓦止調整用角材（１）に固定する為、上部固定用穴からの浸水を防ぎ、より強固に施工できる。
【００１７】
熨斗の固定法はビスと併用して、熨斗の継ぎ目、板と熨斗の間をコーキングで接着するので浸水防止になり、ずり下がり防止にもなる。
【発明を実施するための最良の形態】
【００１８】
以下図面を参照しながら、本発明に係わる芯になる立板（２）及び棟構造の好ましい実施形態を説明する。
【００１９】
乾式工法の芯になる立板（２）は、安価で手軽に購入でき、厚さ、長さ、幅を加工し易い木材が良い。
【００２０】
各補強用金具（１６）、板固定用釘（９）、ビス（１０）はステンレス製であることが最もよい。
【００２１】
図２は、１段目の熨斗の台になる台板（５）の下部に台板の下部に敷く敷板（６）を取り付けることを特徴とする完全乾式工法の断面図である。同図が示すように芯になる立板（２）を立てて屋根下地（１１）に金具（１６）とビス（１０）で固定し、台板の下部に敷く敷板（６）と平瓦（８）の隙間が生じる部分に図５に示すくさび（２１）をかませ釘（９）等で固定して台板の下部に敷く敷板（６）を糸の通りに合わせて安定させ面戸内側空洞（２２）にウレタンフォーム（１９）を充填し、プラスチック面戸（７）を挿入し釘（９）で台板の下部に敷く敷板（６）に固定し、寸法を決めて１段目の熨斗の台になる台板（５）を敷板（６）の上に載せ、釘（９）で敷板（６）に固定する。そして、敷板（６）の位置にずれがないか再確認して、１段目の熨斗の台になる台板（５）を芯になる立板（２）に釘（９）で固定する。次にプラスチック面戸（７）とプラスチック面戸（７）の隙間をコーキングで埋めて接着し、これで台板（５）の縦、横の通りがそろう。１段目の熨斗の台になる台板（５）の外面から台板の下部に敷く敷板（６）の外面の間の寸法と、１段目の熨斗の台になる台板（５）の有無は、使用する熨斗瓦の種類、幅により変更する。次に７部熨斗（１５）の外面を１段目の熨斗の台になる台板（５）の外面より２〜３cm外側にだして棟長さの端々をビス（１０）で固定し、糸で通り基準を出し、それにあわせて７部熨斗（１５）をビス（１０）で固定する、この作業を両屋根部で行う。
【００２２】
次に７部熨斗（１５）の上に２段目の熨斗瓦を取り付ける板（４）を乗せて外側に水が流れる程度勾配を付け、芯になる立板（２）に釘（９）で固定し２段目の熨斗瓦を取り付ける板（４）の外面下部と７部熨斗（１５）の上面の重なり部の隙間で７部熨斗（１５）と７部熨斗（１５）の継目の部分を棟長さの端々までコーキングで接着兼シーリングする。
【００２３】
７部熨斗（１５）に７部熨斗（１４）の外面を載せるチリのラインを墨付けし、その墨に合わせて７部熨斗（１４）を２段目の熨斗瓦を取り付ける板（４）にビス（１０）で固定しこの後の熨斗積み作業工程はここまでの一連の作業を繰り返して行う。
【００２４】
熨斗瓦を積み終わったら芯になる立板（２）の上に冠瓦（１２）をビス止めするための高さと幅を調整する冠瓦止調整用角材（１）をビス（１０）で固定し、それに冠瓦（１２）をビス（１０）で固定する。
【産業上の利用可能性】
【００２５】
本発明に係る乾式工法は、天候が優れなくても、また一人でも施工が可能で、軽量、高耐久、工事金額を大幅に引き下げることができ、一般に普及させれば屋根工事業者の受注件数も増え、必ず産業上の利用可能性を有する。
【図面の簡単な説明】
【００２６】
【図１】本発明乾式工法の斜視図である。
【図２】本発明乾式工法の断面図である。
【図３】古来乾式工法の断面図である。
【図４】古来乾式工法の面戸部分側面図である。
【図５】本発明乾式工法の面戸部分側面図である。
【図６】面戸部内部にウレタンフォームを充填した図である
【符号の説明】
【００２７】
１  冠瓦止調整用角材
２  芯になる立板
３  ３段目の熨斗瓦を取り付ける板
４  ２段目の熨斗瓦を取り付ける板
５  １段目熨斗の台になる台板
６  台板の下部に敷く敷板
７  プラスチック面戸
８  平瓦
９  釘
１０  ビス
１１  屋根下地
１２  冠瓦
１３  小熨斗
１４  ７分熨斗
１５  ７分熨斗
１６  金具
１７  瓦桟
１８  棟木
１９  ウレタンフォーム
２０  面戸の直線ライン
２１  くさび
２２  面戸内側空洞
３１〜３３  熨斗付け用板
３４  台板
３５  木製面戸
３６  平瓦
３７  屋根地
３８  台タルキ
３９  冠瓦
４０  小熨斗
４１  ７分熨斗
４２  ７分熨斗
４３  棟木
４４  瓦桟
４５  釘
４６  銅線
４７  角材
【図１】
0004500281.tif 000002
【図２】
0004500281.tif 000003
【図３】
0004500281.tif 000004
【図４】
0004500281.tif 000005
【図５】
0004500281.tif 000006
【図６】
0004500281.tif 000007